(57)【特許請求の範囲】
【請求項１】
内部にスティック状化粧料が内蔵されて、前記スティック状化粧料について、引き出しまたは引き込みを行わせる容器本体と、前記容器本体を開閉する容器蓋とからなるスティック状化粧料容器において、
前記容器蓋の側面に設置される側面ボタンと、
前記容器蓋の内側に設置されて移動し、容器本体の上部が挿入され、円筒状の締結部が形成された移動部材と、
前記側面ボタンによって移動され、前記締結部が貫通される締結部貫通穴が形成された作動部材と、
前記容器蓋の内側に、固定されて設置される固定部材と、
前記移動部材を弾力支持する弾性部材とを含み、
前記固定部材には、弾力支持部が形成されて、作動部材を弾力支持し、
前記移動部材の締結部には、リングの形態の第１締結突条が形成され、
作動部材の締結部貫通穴には、前記第１締結突条と結合される第２締結突条が形成され、前記側面ボタンの押圧によって、作動部材の締結部貫通穴が容器蓋の中心部へと水平に移動するのに伴って、作動部材と移動部材との間の締結が解除され、
前記固定部材の弾力支持部は、固定部材の上端から曲面の形態に曲がり下側へと延長形成された第１弾性片と、前記第１弾性片から曲面の形態に曲がり上側へと延長形成された第２弾性片とで構成され、
前記の第１弾性片と第２弾性片との間には、弾性空間が形成されることを特徴とする、側面ボタンが備えられたスティック状化粧料容器。
【請求項２】
前記容器蓋は、容器本体の全体を包み込むようにして結合されることを特徴とする、請求項１に記載の側面ボタンが備えられたスティック状化粧料容器。
【請求項３】
前記固定部材には離脱制限突起が形成されて、移動部材が容器蓋から離脱されることを制限することを特徴とする、請求項１に記載の側面ボタンが備えられたスティック状化粧料容器。
【請求項４】
前記固定部材の離脱制限突起同士の間には、弾性スリットが形成されることを特徴とする、請求項３に記載の側面ボタンが備えられたスティック状化粧料容器。
【請求項５】
前記側面ボタンを押圧することによって、作動部材と移動部材との間の締結が解除されると、前記移動部材が、弾性部材によって弾力的に下側へと移動されるとともに、前記移動部材の内側に挿入された容器本体が、容器蓋の下側へと引き出され、また、引き戻されることを特徴とする、請求項１に記載の側面ボタンが備えられたスティック状化粧料容器。
【発明の詳細な説明】
【技術分野】
【０００１】
本発明は、側面ボタンが備えられたスティック状化粧料容器に関し、さらに詳細には、(1)内部にスティック状化粧料が内蔵された容器本体と、(2)前記容器本体を開閉する容器蓋とで構成されており、(3)前記容器蓋の側面に側面ボタンを設置し、(4)前記容器蓋の内側に、弾性部材によって弾力的に上下移動されて締結部が形成された移動部材と、(5)前記移動部材が容器蓋から離脱されることを制限する固定部材と、(6)前記側面ボタンによって前後移動されることで移動部材の締結部と締結されるか締結解除される作動部材とを形成しているので、前記側面ボタンを押して作動部材を容器蓋の中心部に移動させると、前記の作動部材と移動部材の間の締結が解除されて、前記移動部材が弾力的に下側へと移動されることで、移動部材の内側に挿入されている容器本体を、容器蓋の下側へと突き出させて引き抜く構造なので、容器本体が容器蓋から引き出されて、引き込まれる構造が単純で生産性が向上し、使用が便利な側面ボタンが備えられたスティック状化粧料容器に関する。
【背景技術】
【０００２】
一般的に、女性は、自身の外見をさらに美しく装うために多様な化粧品を使用するのであり、前記化粧品のうち、色調化粧品は、容姿を美しく変化させて肌を美しく演出させる目的で使用される。
【０００３】
このような色調化粧品は、肌の色を均一にして欠点をカバーするために使用されるベースメイクアップと、唇、目、爪など部分的に立体感を高めるポイントメイクアップとに区分されるが、前記ベースメイクアップには、メイクアップベース、ファンデーション、パウダーなどがあり、ポイントメイクアップには、口紅、アイライナー、マスカラなどがある。
【０００４】
女性の色調化粧に必要な多様な化粧品のうち、前記口紅は、唇を保護してさらに引き立たせるように化粧するためのものであり、従来の口紅は、多様な色感を有する化粧料組成物がスティック状に製造されて、口紅化粧品容器の内側で昇降作動されることで、引き出しまたは挿入される。
【０００５】
即ち、上記のような従来の一般的な口紅化粧品容器の構成は、一般的に、(1)化粧品容器の外形を維持するケースと、(2)該ケースの内部にネジ式で設置されてケースの回転作動によってネジ山に沿って昇降作動されてスティック状化粧品が装着される口紅ホルダーと、(3)前記ケースと口紅ホルダーとの間に設置されることで、その一部が外側に露出するように設置され、前記口紅ホルダーの上下移動を案内するとともに化粧品を保護する保護管と、(4)前記ケースの上部に締結されて保護管を安全に固定する締結キャップと、(5)前記ケースを開閉するオーバーキャップなどで構成されている。
【０００６】
しかし、上記従来の口紅化粧品容器におけるオーバーキャップがケースと弱く締結されている場合、前記オーバーキャップが、携帯中にケースから容易に離脱されることで紛失するという問題点があり、オーバーキャップがケースと強く締結される場合、相対的に力の弱い女性が、前記ケースからオーバーキャップを容易に分離することができずに使用が不便であるという問題点があった。
【０００７】
上記のような問題点を解決するために、図１のように韓国登録実用新案第２０−０４５９４５１号に口紅容器が開示されたのであり、前記従来の口紅容器は、(1)容器本体部と、(2)前記容器本体部に結合された口紅ホルダーと、(3)キャップ底面部と前記キャップ底面部から延長形成された円状管形態のキャップ側面部でもって、前記口紅ホルダーに結合された口紅を囲むように前記容器本体部に結合された容器キャップとを有する口紅容器に関し、ワンタッチ構造によって前記容器キャップが容器本体部から離脱されることを防止する構造である。
【０００８】
即ち、上記従来の口紅容器のワンタッチ構造をより詳細に考察すると、容器本体部をキャップ底面部に向けて押圧する時に前記キャップ底面部に向けて移動することができるように容器キャップの内部に設置された円状管形態の直線運動作動管と、前記直線運動作動管が前記キャップ底面部に向けて移動する時、前記直線運動作動管を元の位置に復帰させるための復帰弾性力を蓄積するように前記容器キャップの内部に設置されたバネと、前記容器本体部を前記キャップ底面部に向けて押圧する動作に連動して前記バネに蓄積された復帰弾性力が前記直線運動作動管に伝達されることを遮断して前記直線運動作動管が元の位置に復帰することを阻止する復帰阻止動作と、前記バネに蓄積された復帰弾性力が前記直線運動作動管に伝達されることを許容して前記復帰阻止動作を解除する復帰阻止解除動作を交互に遂行する復帰選択部を含む。
【０００９】
しかし、前記従来技術は、口紅容器を外部に出没または容器本体部内部に挿入させるために容器キャップに直線運動管と、バネ及び復帰選択部が設置され、前記復帰選択部が上向き運動案内傾斜面と、案内溝、係止爪、上向き補助案内傾斜面、軸連結部、及び回転運動作動体などで構成されており構造が複雑で、これにより生産性が劣るという問題点があった。
【００１０】
このような問題点を解決するために、図２のように韓国公開特許１０−２０１７−００６７５６１号に口紅容器の組立体が開示された。
【００１１】
上記従来の口紅容器組立体は、補助蓋内側上部に主蓋が選択的に一定区間で昇降可能になるように設置され、補助蓋上部に、主蓋を弾発力によって下降するようにする操作ボタンと弾性変形操作具が設置されているので、構造が単純で、操作ボタンの簡単な押圧操作を通じて主蓋に結合された口紅収容具の下端が下側へとへと突き出し及び引き込み（出没）がなされるようにして、口紅収容具を主蓋から選択的に分離して使用することができるようにした構造である。
【００１２】
しかし、前記従来技術は主蓋の係止フックと弾性変形操作具の係止突起が一方の面にだけ形成されており、主蓋と弾性変形操作具とを互いに組み付ける際に、前記係止フックと係止突起とが対向するようにしなければならず、このためには、補助蓋に形成された昇降ガイド突起が、主蓋に形成された昇降ガイド溝に挿入されるように組み付けなければならないという不便があった。
【００１３】
また、上記従来技術は、操作ボタンの押圧によって弾性変形操作具の弾性変形リングの形態が変形することで、前記弾性変形操作具と主蓋との間の締結が解除される構造であるため、長時間使用する場合、前記弾性変形操作具が破損したり、弾性変形操作具が変形して、前記弾性変形操作具と主蓋の作動が円滑に行われないという問題点があった。
【発明の概要】
【発明が解決しようとする課題】
【００１４】
本発明は、上記のような問題点を解決するために案出されたものであり、(1)内部にスティック状化粧料が内蔵された容器本体と、(2)前記容器本体を開閉する容器蓋とで構成され、(3)前記容器蓋の側面に側面ボタンを設置し、(4)前記容器蓋の内側に弾性部材によって弾力的に上下移動されて締結部が形成された移動部材と、(5)前記移動部材が容器蓋から離脱されることを制限する固定部材と、(6)前記ボタンによって前後移動されながら移動部材の締結部と締結されるか締結解除される作動部材とを形成しているので、前記側面ボタンを押して作動部材を容器蓋の中心部に移動させると、前記作動部材と移動部材との間の締結が解除されて、前記移動部材が弾力的に下側へと移動されることで、移動部材の内側に挿入されている容器本体を、容器蓋の下側へと突き出させて引き抜く構造であるので、容器本体が容器蓋から引き出されて、引き込まれる構造が単純で、生産性が向上し、使用が便利な、側面ボタンが備えられたスティック状化粧料容器を提供することに目的がある。
【００１５】
また、容器蓋の内側に上下移動可能に設置される移動部材の上部に、円筒の形態の締結部を突出形成し、作動部材の中央に、前記締結部が貫通される締結部貫通穴を形成し、前記締結部の外周面に第１締結突条を形成し、前記締結部貫通穴に第２締結突条を形成して、互いに結合されるようにすることで、スティック状化粧料容器を組み立てた際に、移動部材と作動部材とが、第１及び２締結突条の結合の方向と関係なく、互に組み付けられることから組立工程が簡便になり、これにより生産性が増大する、側面ボタンが備えられたスティック状化粧料容器を提供することに目的がある。
【００１６】
また、容器蓋の内側に固定されて設置される固定部材に、作動部材を前後移動可能に結合し、前記固定部材に弾力支持部を形成して、作動部材が前記弾力支持部によって弾力的に水平に移動されるようにすることで、前記作動部材は、長期間使用されても形態が変形したり破損せずに円滑に作動するようにした、側面ボタンが備えられたスティック状化粧料容器を提供することに目的がある。
【課題を解決するための手段】
【００１７】
本発明は、内部にスティック状化粧料が内蔵されて前記スティック状化粧料を引き出しまたは引込させる容器本体と、前記容器本体を開閉する容器蓋からなるスティック状化粧料容器において、
前記容器蓋の側面に設置される側面ボタンと、
前記容器蓋の内側に設置されて移動し、容器本体の上部が挿入され、円筒状の締結部が形成された移動部材と、
前記側面ボタンによって移動され、前記締結部が貫通される締結部貫通穴が形成された作動部材と、
前記容器蓋の内側に、固定されて設置される固定部材と、
前記移動部材を弾力支持する弾性部材とを含み、
前記固定部材には、弾力支持部が形成されて、作動部材を弾力支持し、
前記移動部材の締結部には、リングの形態の第１締結突条が形成され、作動部材の締結部貫通穴には前記第１締結突条と結合される第２締結突条が形成され、前記側面ボタンの押圧によって、作動部材の締結部貫通穴が容器蓋の中心部へと水平に移動するのに伴って、作動部材と移動部材との間の締結が解除されることを特徴とする、側面ボタンが備えられたスティック状化粧料容器を提供する。
【００１８】
また、前記容器蓋は、容器本体の全体を包み込むようにして結合されることを特徴とする。
【００１９】
また、前記固定部材の弾力支持部は、固定部材の上端から曲面の形態に曲がり下側へと延長形成された第１弾性片と、前記第１弾性片から曲面の形態に曲がり上側へと延長形成された第２弾性片とで構成され、前記第１弾性片と第２弾性片との間には、弾性空間が形成されることを特徴とする。
【００２０】
また、前記固定部材には離脱制限突起が形成されて、移動部材が容器蓋から離脱されることを制限することを特徴とする。
【００２１】
また、前記固定部材の離脱制限突起同士の間には、弾性スリットが形成されることを特徴とする。
【００２２】
また、前記側面ボタンを押圧することによって、作動部材と移動部材との間の締結が解除されると、前記移動部材が弾性部材によって弾力的に下側へと移動されるとともに、前記移動部材の内側に挿入された容器本体が容器蓋の下側へと引き出され、また、引き戻されることを特徴とする。
【発明の効果】
【００２３】
本発明に係る側面ボタンが備えられたスティック状化粧料容器は、(1)内部にスティック状化粧料が内蔵された容器本体と、(2)前記容器本体を開閉する容器蓋とで構成されており、(3)前記容器蓋の側面に側面ボタンを設置し、(4)前記容器蓋の内側に、弾性部材によって弾力的に上下移動されて締結部が形成された移動部材と、(5)前記移動部材が容器蓋から離脱されることを制限する固定部材と、(6)前記ボタンによって前後移動されることで移動部材の締結部と締結されるか締結解除される作動部材とを形成しているので、前記側面ボタンを押して作動部材を容器蓋の中心部へと移動させると、前記の作動部材と移動部材との締結が解除されて、前記移動部材が弾力的に下側へと移動されることで、移動部材の内側に挿入されている容器本体を、容器蓋の下側へと突き出させて引き抜く構造なので、容器本体が容器蓋から引き出されて、引き込まれる構造が単純で生産性が向上し、使用が便利であるという効果がある。
【００２４】
また、容器蓋の内側に上下移動可能に設置される移動部材の上部に、円筒の形態の締結部を突出形成し、作動部材の中央に、前記締結部が貫通される締結部貫通穴を形成し、前記締結部の外周面に第１締結突条を形成し、前記締結部貫通穴に第２締結突条を形成して、互いに結合されるようにすることで、スティック状化粧料容器を組み立てた際に移動部材と作動部材とが、第１及び２締結突条の結合方向と関係なく互いに組み付けられて、組立工程が簡便になり、これにより生産性が増大するという効果がある。
【００２５】
また、容器蓋の内側に固定されて設置される固定部材に、作動部材を前後移動可能に結合し、前記固定部材に弾力支持部を形成して、作動部材が前記弾力支持部によって、弾力的に水平に移動されるようにすることで、前記作動部材が長期間使用されても、形態が変形したり破損せずに円滑に作動するようにするという効果がある。
【図面の簡単な説明】
【００２６】
【図１】従来の離脱防止構造を有する口紅容器である。
【図２】従来の口紅容器の組立体である。
【図３】本発明に係るスティック状化粧料容器の斜視図である。
【図４】本発明に係るスティック状化粧料容器の分解斜視図である。
【図５】本発明に係るスティック状化粧料容器の断面図である。
【図６】本発明に係るスティック状化粧料容器の側面ボタンを押圧する状態を示す断面図である。
【図７】本発明に係るスティック状化粧料容器の容器本体を容器蓋から分離する状態を示す断面図である。
【図８】本発明に係るスティック状化粧料容器の容器本体からスティック状化粧料を引出させる状態を示す断面図である。
【図９】本発明に係るスティック状化粧料容器の容器本体を容器蓋に結合する状態を示す断面図である。
【発明を実施するための形態】
【００２７】
本発明と本発明の実施によって達成される技術的課題は、次で説明する好ましい実施例によって明確になる。以下、添付の図面を参照して本発明に係る側面ボタンが備えられたスティック状化粧料容器の一実施例を詳細に考察すると次の通りである。
【００２８】
図３は本発明に係るスティック状化粧料容器の斜視図であり、図４は本発明に係るスティック状化粧料容器の分解斜視図であり、図５は本発明に係るスティック状化粧料容器の断面図である。
【００２９】
本発明の一実施例に係る側面ボタンが備えられたスティック状化粧料容器は、(1)内部にスティック状化粧料Ｓが内蔵されて、前記スティック状化粧料Ｓを、引き出しまたは引き込みさせる容器本体１０と、(2)前記容器本体１０を開閉する容器蓋２０とからなるスティック状化粧料容器において、(3)前記容器蓋２０の側面に設置される側面ボタン３０と、(4)前記容器蓋２０の内側に設置されて上下移動され、容器本体１０の上部が挿入され、締結部４２が形成された移動部材４０と、(5)前記側面ボタン３０によって、移動部材４０の締結部４２との間で締結または締結解除される作動部材５０と、(6)前記移動部材４０を弾力支持する弾性部材６０とを含む。
【００３０】
前記容器本体１０は、回転によって、内部に内蔵されたスティック状化粧料Ｓを、外部に引き出すか、または容器本体１０の内側に引き込ませる。
【００３１】
前記容器本体１０は、図４のように、化粧料皿１１と、案内管１２と、回転管１３と、回転キャップ１４と、回転連結部材１５と、保護管１６と、エンドキャップ１７とで構成される。
【００３２】
前記容器本体１０の化粧料皿１１は、案内管１２の内側で昇降するのであり、前記化粧料皿１１の上部にはスティック状化粧料Ｓが取り付けられ、下部の外周面には昇降突起１１ａが形成される。
【００３３】
前記容器本体１０の案内管１２は、化粧料皿１１の外側に設置されて、化粧料皿１１の垂直移動を案内し、前記案内管１２の下部には、垂直移動穴１２ａが形成されて前記化粧料皿１１の昇降突起１１ａが貫通される。
【００３４】
前記容器本体１０の回転管１３は、案内管１２の下部の外側に設置され、回転しながら化粧料皿１１を上部に押し上げるのであり、前記回転管１３の内周面には、回転螺旋溝１３ａが形成されて化粧料皿１１の昇降突起１１ａが挿入され、外周面には固定穴１３ｂが形成されて回転連結部材１５が固定結合される。
【００３５】
前記容器本体１０の回転キャップ１４は、回転管１３の外側に設置されるのであり、前記回転キャップ１４の内周面には、第１固定鋸歯１４ａが形成される。
【００３６】
前記容器本体１０の回転連結部材１５は、回転キャップ１４の内側に設置されて回転キャップ１４によって回転されるとともに回転管１３を回転させる。前記回転連結部材１５の外周面には、第２固定鋸歯１５ａが形成されて、回転キャップ１４の第１固定鋸歯１４ａと固定結合されるのであり、前記第２固定鋸歯１５ａの下側には、固定部１５ｂが形成されて、回転管１３の固定穴１３ｂに挿入される。
【００３７】
前記容器本体１０の保護管１６は、案内管１２の上部を包み込むとともに、案内管１２と回転キャップ１４との間に結合される。
【００３８】
前記容器本体１０のエンドキャップ１７は、回転管１３の下部の中央に結合されて、前記回転管１３の下部に異物が流入しないように密閉させる。
【００３９】
即ち、図５のように、前記化粧料皿１１の昇降突起１１ａは、案内管１２の垂直移動穴１２ａを貫通するとともに、回転管１３の回転螺旋溝１３ａに挿入されており、前記回転管１３は、回転連結部材１５によって回転キャップ１４と固定結合され、前記回転管１３の回転によって化粧料皿１１が昇降するのであり、これに伴い、スティック状化粧料Ｓが、外部に引き出されるか、容器本体１０の内部に引き込まれる。
【００４０】
前記容器蓋２０は、容器本体１０を開閉するにあたり、図５のように、容器本体１０の全体を包み込むようにして結合される。したがって、本発明に係るスティック状化粧料容器の使用前には、前記容器本体１０が容器蓋２０の内側に隠れているが、使用時には、前記容器本体１０について、容器蓋２０の下側への突き出し及び引き戻し（出没）が行われる。
【００４１】
前記容器蓋２０の外周面には、図４のように、側面ボタン３０が貫通されるボタン貫通穴２２が形成されており、容器蓋２０の上端には、仕上げカバー板２４が結合される。
【００４２】
前記容器蓋２０の側面には側面ボタン３０が設置され、内側には、移動部材４０と、作動部材５０と、弾性部材６０と、固定部材７０とが設置される。
【００４３】
前記側面ボタン３０は、容器蓋２０のボタン貫通穴２２を貫通するように設置され、使用者の押圧によって前後に移動される。
【００４４】
前記側面ボタン３０には、押圧面３２が形成されて容器蓋２０の外側に露出し、前記押圧面３２の対向側には、結合突起３４が形成されて作動部材５０と結合される。
【００４５】
前記移動部材４０は、容器蓋２０の内側に、上下移動可能に設置される。
【００４６】
前記移動部材４０は、下側が開放された形態であり、図５のように、容器本体１０と容器蓋２０とが結合した際、前記移動部材４０の内側に、容器本体１０が挿入される。
【００４７】
前記移動部材４０には、作動部材５０との締結または締結解除がなされる締結部４２が、上側に突出形成される。
【００４８】
前記締結部４２は円筒状であり、前記締結部４２の外周面には、リングの形態の第１締結突条４２ａが外側に突出形成される。
【００４９】
前記移動部材４０の下部の外周面には、弾性部材６０が着座される第１段部４９が形成される。
【００５０】
前記作動部材５０は、移動部材４０の上部側に設置されて、前記側面ボタン３０によって前後に移動される際に、移動部材４０の締結部４２との締結または締結解除がなされる。
【００５１】
前記作動部材５０の中央には、締結部貫通穴５２が形成されて、前記移動部材４０の締結部４２が貫通されており、前記締結部貫通穴５２における外側の部分には、図５のように、第２締結突条５２ａが、内側へと突出形成されて、移動部材４０の第１締結突条４２ａとアンダーカット結合される。
【００５２】
前記作動部材５０の第２締結突条５２ａは、図４のように弾力密着部５６と隣接した締結部貫通穴５２の外側に、一定区間にわたって形成されうるのであり、また、前記作動部材５０の第２締結突条５２ａは、締結部貫通穴５２の外側部分に、リングの形態で形成されることもありうる。
【００５３】
前記作動部材５０の一側には、側面ボタン３０の結合突起３４が挿入される結合凹部５４が形成され、他側には、固定部材７０の弾力支持部７２に密着される弾力密着部５６が形成される。
【００５４】
前記作動部材５０の側面には、図４のように、各々第１水平案内突起５８ａが形成される。
【００５５】
前記固定部材７０は、容器蓋２０の内側に固定されて設置される。前記固定部材７０は、移動部材４０が、一定区間以上移動されることを制限するとともに、作動部材５０の水平移動を案内するようになる。
【００５６】
前記固定部材７０の上部には、弾力支持部７２が形成されて、作動部材５０を水平に弾力支持するが、前記弾力支持部７２には、作動部材５０の弾力密着部５６が密着される。
【００５７】
前記固定部材７０の弾力支持部７２は、図５のように、固定部材７０の上端から曲面の形態に曲がり下側へと延長形成された第１弾性片７２ａと、前記第１弾性片７２ａから曲面の形態に曲がり上側へと延長形成された第２弾性片７２ｂとで構成されており、前記第１弾性片７２ａと第２弾性片７２ｂとの間には、弾性空間７２ｃが形成される。
【００５８】
即ち、使用者によって側面ボタン３０が押されると、前記側面ボタン３０と結合された作動部材５０も、ともに押されることとなり、この際に、前記作動部材５０の弾力密着部５６が、弾力支持部７２の第２弾性片７２ｂを後方に押して、前記第２弾性片７２ｂが弾性空間７２ｃへと撓（たわ）み込むこととなるのであり、前記側面ボタン３０の押圧が解除されると、前記第２弾性片７２ｂが、元の形態に復元される際に、作動部材５０の弾力密着部５６を前方に押して、前記作動部材５０と結合された側面ボタン３０も、ともに前方に押し出すこととなる。
【００５９】
前記固定部材７０の下部の内周面には、離脱制限突起７４が形成されて、移動部材４０が容器蓋２０から離脱されることを制限するようになる。
【００６０】
図４のように、前記固定部材７０の離脱制限突起７４同士の間には、弾性スリット７６が形成されるのであり、前記弾性スリット７６は、移動部材４０と固定部材７０とを互いに組み付ける際に、前記移動部材４０が固定部材７０の下側に容易に挿入されるようにするためのものである。
【００６１】
前記固定部材７０の上部の外周面には、作動部材５０が結合される作動部材挿入穴７８が形成される。
【００６２】
前記固定部材７０の作動部材挿入穴７８の内側には、第２水平案内突起７８ａが形成されるのであり、前記第２水平案内突起７８ａの上面に、作動部材５０の第１水平案内突起５８ａが着座されて、前記作動部材５０が、固定部材７０の内側にて水平に移動することができるようになる。
【００６３】
前記弾性部材６０は、移動部材４０を垂直に弾力支持する。前記弾性部材６０の一方の端部は、移動部材４０の第１段部４９に密着され、他方の端部は、固定部材７０の内周面に形成された第２段部７９に密着される。
【００６４】
上記で考察したように、本発明に係る側面ボタンが備えられたスティック状化粧料容器は、上記のような構成の相互作用を通じて、容器蓋２０からの容器本体１０の突き出し及び引き戻し（出没）を行わせることとなる。
【００６５】
即ち、使用者が側面ボタン３０を押圧するのに伴い、作動部材５０が容器蓋２０の中心部へと移動されて行くこととなり、この際に、前記作動部材５０と移動部材４０との間の締結が解除されて、前記移動部材４０が弾性部材６０によって弾力的に下側へと移動することとなるのであり、これと同時に前記移動部材４０の内側に挿入された容器本体１０が、容器蓋２０の下側への突き出し及び引き戻し（出没）が行われることとなる。
【００６６】
上記のように構成された、側面ボタンが備えられたスティック状化粧料容器の組立方法を、添付の図面を参照して説明すると、次の通りである。
【００６７】
本発明の一実施例に係る側面ボタンが備えられたスティック状化粧料容器を組み立てるために、まず、図４と図５のように、容器本体１０を組み立てる。
【００６８】
前記容器本体１０の組立過程を詳細に考察すると、化粧料皿１１の上側にスティック状化粧料Ｓを取り付け、前記化粧料皿１１を案内管１２の内側に結合するのであり、前記化粧料皿１１の昇降突起１１ａを、案内管１２の垂直移動穴１２ａに貫通させる。
【００６９】
次に、回転管１３の上部に、回転連結部材１５を固定させて結合するが、前記回転管１３の固定穴１３ｂに、回転連結部材１５の固定部１５ｂが挿入されるようにする。
【００７０】
次に、前記回転管１３を案内管１２の下側に結合するのであり、前記案内管１２の垂直移動穴１２ａの外側に突出された昇降突起１１ａが、回転管１３の回転螺旋溝１３ａに挿入されるようにする。
【００７１】
次に、前記案内管１２の上側に保護管１６を結合し、前記回転管１３及び回転連結部材１５の外側に回転キャップ１４を結合するのであり、前記回転キャップ１４の第１固定鋸歯１４ａと、回転連結部材１５の第２固定鋸歯１５ａとが噛み合って固定されるようにする。
【００７２】
次に、前記回転管１３の下部の中央に、エンドキャップ１７を結合する。
【００７３】
その後、前記容器本体１０を開閉する容器蓋２０を組み付ける。
【００７４】
前記容器蓋２０の組立過程を詳細に考察すると、固定部材７０の作動部材挿入穴７８に作動部材５０を水平に組み付けるのであり、前記作動部材５０の第１水平案内突起５８ａが、固定部材７０の第２水平案内突起７８ａの上面に着座されるようにし、作動部材５０の弾力密着部５６が、固定部材７０の弾力支持部７２に密着されるようにする。
【００７５】
次に、前記固定部材７０の下側に、弾性部材６０が外側に被せられた移動部材４０を挿入するのであり、この際、固定部材７０の弾性スリット７６が外側へと広がりながら前記の移動部材４０及び弾性部材６０が挿入される。
【００７６】
前記移動部材４０を固定部材７０の内側の端まで挿入すると、前記移動部材４０の締結部４２が、作動部材５０の締結部貫通穴５２を貫通することで、前記移動部材４０の第１締結突条４２ａと、作動部材５０の第２締結突条５２ａとがアンダーカット結合される。
【００７７】
次に、上記のように組み立てられた固定部材７０を容器蓋２０の内側に結合した後、前記容器蓋２０のボタン貫通穴２２に、側面ボタン３０を設置することで、前記側面ボタン３０の結合突起３４が、作動部材５０の結合凹部５４に挿入されるようにする。
【００７８】
次に、前記容器蓋２０の上端に、仕上げカバー板２４を結合する。
【００７９】
最後に、上記のように組み立てられた容器蓋２０の内側に、容器本体１０を結合することで、本発明の一実施例に係る、側面ボタンが備えられたスティック状化粧料容器の組立を完了する。
【００８０】
上記のように組み立てられた、側面ボタンが備えられたスティック状化粧料容器の使用方法を、添付の図面を参照して説明すると次の通りである。
【００８１】
図６は、本発明に係るスティック状化粧料容器における側面ボタンを押圧する様子を示す断面図であり、図７は、本発明に係るスティック状化粧料容器における容器本体を容器蓋から分離する様子を示す断面図であり、図８は、本発明に係るスティック状化粧料容器における容器本体からスティック状化粧料を引き出す様子を示す断面図であり、図９は、本発明に係るスティック状化粧料容器における容器本体を容器蓋に結合する様子を示す断面図である。
【００８２】
本発明の一実施例に係る側面ボタンが備えられたスティック状化粧料容器を使用するためには、まず図６のように、容器蓋２０の外側に形成された側面ボタン３０を押して、前記容器蓋２０からの、容器本体１０の突き出し及び引き戻し（出没）を行わせる。
【００８３】
前記側面ボタン３０を押圧するならば、前記側面ボタン３０と結合された作動部材５０も、ともに押されることとなり、この際、前記作動部材５０の弾力密着部５６が、弾力支持部７２の第２弾性片７２ｂを後方に押して、前記第２弾性片７２ｂが、弾性空間７２ｃへと撓（たわ）み込むこととなるのであり、これにより、前記作動部材５０が、容器蓋２０の中心部へと移動することとなる。
【００８４】
この時、前記作動部材５０の第２締結突条５２ａと、移動部材４０の第１締結突条４２ａとの間の締結が解除されることで、前記移動部材４０が、弾性部材６０の弾性によって弾力的に下側へと移動することとなるのであり、これと同時に、前記移動部材４０の内側に挿入された容器本体１０が、容器蓋２０の下側へと突き出され、また、引き戻される（出没される）。
【００８５】
その後、前記側面ボタン３０の押圧が解除されると、前記第２弾性片７２ｂが、元の形態に復元されるとともに、作動部材５０の弾力密着部５６を前方に押すことで、前記作動部材５０が前方へと移動されるのであり、これにより、前記作動部材５０と結合された側面ボタン３０が、元の位置に戻る。
【００８６】
その後、図７のように、前記容器本体１０を容器蓋２０から分離する。
【００８７】
その後、前記容器本体１０に内蔵されたスティック状化粧料Ｓを引き出して、化粧を行うこととなる。図８のように、片手で保護管１６をつかんで、もう一方の手で回転キャップ１４を回転させると、回転キャップ１４とともに、回転連結部材１５、及び回転管１３が回転されるのに対し、保護管１６と案内管１２とは固定されており、この際、前記化粧料皿１１の昇降突起１１ａが回転管１３の回転螺旋溝１３ａによって押し上げられるとともに、固定された案内管１２の垂直移動穴１２ａに沿って上側に移動されて、前記化粧料皿１１に取り付けられたスティック状化粧料Ｓが、保護管１６の上側に引き出される。
【００８８】
化粧が終わった後には、容器本体１０の回転キャップ１４を反対方向に回転させて、化粧料皿１１に取り付けられたスティック状化粧料Ｓが、保護管１６の内側に引込まれるようにする。
【００８９】
最後に、前記容器本体１０を容器蓋２０の内側に結合させるが、図９のように、容器本体１０を容器蓋２０に押し込むと、前記容器本体１０の上端が、移動部材４０を上側に押し上げることとなり、前記容器本体１０を容器蓋２０に、最後まで押し込むと、前記移動部材４０の締結部４２が、作動部材５０の締結部貫通穴５２を貫通するので、この際に、前記移動部材４０の第１締結突条４２ａと、作動部材５０の第２締結突条５２ａとがアンダーカット結合されて、容器本体１０と容器蓋２０とが締結される。
【００９０】
これにより、本発明の一実施例に係る、側面ボタンが備えられたスティック状化粧料容器の使用を完了する。
【００９１】
以上、本発明で説明したことは、側面ボタンが備えられたスティック状化粧料容器を実施するための一つの実施例に過ぎず、本発明は、前記実施例に限定されるものではない。添付の請求の範囲で請求するように、本発明の要旨を逸脱せずに、当該発明が属する分野にて通常の知識を有する者であれば、誰でも多様な変更実施が可能であるという範囲まで、本発明の範囲に属するものと、みなされなければならないであろう。
【符号の説明】
【００９２】
１０  容器本体
１１  化粧料皿
１２  案内管
１３  回転管
１４  回転キャップ
１５  回転連結部材
１６  保護管
１７  エンドキャップ
２０  容器蓋
２４  仕上げカバー板
３０  側面ボタン
４０  移動部材
４２  締結部
５０  作動部材
５２  締結部貫通穴
５６  弾力密着部
６０  弾性部材
７０  固定部材
７２  弾力支持部
７４  離脱制限突起
Ｓ  スティック状化粧料
【図１】
0006893566.tif 000002
【図２】
0006893566.tif 000003
【図３】
0006893566.tif 000004
【図４】
0006893566.tif 000005
【図５】
0006893566.tif 000006
【図６】
0006893566.tif 000007
【図７】
0006893566.tif 000008
【図８】
0006893566.tif 000009
【図９】
0006893566.tif 000010